(57)【要約】【課題】機密情報の漏洩を確実に防止し得る画像形成装置を提供する。【解決手段】入力画像を入力するスキャナ部２又はプリンタコントローラ６と、入力画像の試し出力を指示するための試し出力ボタン４０３と、指示により、入力画像に基づいて差替え画像を生成する制御部１１と、生成された差替え画像を形成する画像形成部５と、を備え、差替え画像は、入力画像の内容を予め定められた内容に差替えた画像であって、入力画像と同一の画像サイズである画像形成装置１００とする。【選択図】図２
2010217370.tif 000002
【特許請求の範囲】
【請求項１】
入力画像を入力する入力部と、
前記入力画像の試し出力を指示するための試し出力指示部と、
前記試し出力指示部からの指示により、前記入力画像に基づいて差替え画像を生成する制御部と、
前記生成された差替え画像を形成する画像形成部と、を備え、
前記差替え画像は、前記入力画像の内容を予め定められた内容に差替えた画像であって、前記入力画像と同一の画像サイズである画像形成装置。
【請求項２】
前記差替え画像は、前記入力画像の内容を異なる内容に差替えた旨の情報を含む画像である請求項１に記載の画像形成装置。
【請求項３】
前記差替え画像は、前記入力画像のジョブ名、ページ番号、又は前記差替え画像が画像形成された日付、のうち何れか一又は全ての情報を含む画像である請求項１又は２に記載の画像形成装置。
【請求項４】
前記入力画像のジョブ名は、前記差替え画像において、予め定められた識別子により表示される請求項３に記載の画像形成装置。
【請求項５】
前記予め定められた識別子は、一次元コード又は二次元コードである請求項４に記載の画像形成装置。
【請求項６】
画像形成位置又は濃度の情報について変更を指示する変更指示部と、
前記変更指示部からの指示に基づいて、変更された画像形成位置又は濃度の情報を記憶する記憶部と、
を更に備え、
前記制御部は、前記記憶部に記憶されている変更後の画像形成位置又は濃度の情報に基づいて、前記差替え画像又は前記入力画像を前記画像形成部により形成する請求項１〜５の何れか１項に記載の画像形成装置。
【発明の詳細な説明】
【技術分野】
【０００１】
本発明は、画像形成装置に関する。
【背景技術】
【０００２】
一般に、大量の用紙が画像形成される際は画像形成位置や濃度等を調整するための画像形成（以下、「試し出力」）が事前に行われる。
【０００３】
通常、試し出力では、画像形成装置に入力された画像（以下、「入力画像」）が画像形成対象として用いられる。つまり、本来画像形成する画像（入力画像）が試し出力においても用いられる。パンチ処理やステイプル処理等が施された場合に、入力画像が適切に用紙に表わされるか確認するためである。
軽印刷やオンデマンド印刷市場において、試し出力は特に必須な処理となっている。
【０００４】
ここで、試し出力された用紙は、最終的には排紙トレイに排紙される。排紙トレイに排紙された用紙は、ユーザによって取り上げられることになるが、それまで用紙は放置されたままである。
【０００５】
試し出力された用紙は取り忘れられる場合が多く、排紙された用紙は排紙トレイに長時間放置されることになる。
用紙に画像形成された内容が機密情報である場合、排紙トレイに長時間放置しておくと機密情報の漏洩に繋がり、セキュリティ面において問題となる。
【０００６】
特許文献１及び特許文献２によれば、画像形成された用紙が所定時間経過後も排紙トレイに放置されている場合、用紙を画像形成装置内部に取り込み、取り込んだ用紙に所定の上書き画像を形成する技術が開示されている。
【０００７】
また、特許文献３によれば、複写禁止ページに係る画像データ中の文字又は線画を所定の符号や画像に変換し、変換した符号等を複写禁止ページに係る用紙に上書きする技術が開示されている。
【先行技術文献】
【特許文献】
【０００８】
【特許文献１】特開２００４−２８４０８１号公報
【特許文献２】特開２００７−１６８３２２号公報
【特許文献３】特開２００８−６１０２７号公報
【０００９】
しかし、特許文献１〜３の何れにおいても、画像形成された用紙は一度排紙トレイに排紙され、ある程度の時間は放置される。長時間放置されることはなくても、一定時間放置されることにより画像形成された内容が第三者に見られる可能性は取り除けない。
【発明の概要】
【発明が解決しようとする課題】
【００１０】
本発明の課題は、機密情報の漏洩を確実に防止し得る画像形成装置を提供することである。
【課題を解決するための手段】
【００１１】
本発明によれば、
入力画像を入力する入力部と、
前記入力画像の試し出力を指示するための試し出力指示部と、
前記試し出力指示部からの指示により、前記入力画像に基づいて差替え画像を生成する制御部と、
前記生成された差替え画像を形成する画像形成部と、を備え、
前記差替え画像は、前記入力画像の内容を予め定められた内容に差替えた画像であって、前記入力画像と同一の画像サイズである画像形成装置が提供される。
【００１２】
また、
画像形成位置又は濃度の情報について変更を指示する変更指示部と、
前記変更指示部からの指示に基づいて、変更された画像形成位置又は濃度の情報を記憶する記憶部と、を更に備え、
前記制御部は、前記記憶部に記憶されている変更後の画像形成位置又は濃度の情報に基づいて、前記差替え画像又は前記入力画像を前記画像形成部により形成する画像形成装置が提供される。
【発明の効果】
【００１３】
本発明によれば、試し出力において差替え画像を形成することができる。差替え画像は入力画像と同一の画像サイズであるため、差替え画像を用いて入力画像の用紙上の画像形成位置を調整することができる。試し出力で入力画像は画像形成されないため、試し出力による第三者への情報の漏洩を確実に防止することができる。
【図面の簡単な説明】
【００１４】
【図１】画像形成装置の全体構成を示す図である。
【図２】画像形成装置の機能的構成を示す図である。
【図３】差替え画像の一例を示す図である。
【図４】操作部の構成を示す図である。
【図５】設定画面の一例を示す図である。
【図６】画像形成処理を示すフロー図である。
【図７】差替えられた画像、用紙及び印刷物の概念図である。
【図８】差替えられた画像、用紙及び印刷物の他の概念図である。
【発明を実施するための形態】
【００１５】
図１に、本実施形態における画像形成装置１００の全体構成を示す。
画像形成装置１００は、本体部１０及び後処理部２０を備えて構成される。
画像形成装置１００は、スキャナ機能、コピー機能、プリンタ機能を備えた、いわゆるデジタル複合機である。
【００１６】
本体部１０は、スキャナ部２、ＡＤＦ（Auto Document Feeder）部３、操作部４、画像形成部５、給紙トレイＦＴ１、大容量トレイユニットＦＴ２を備える。
【００１７】
後処理部２０は、本体部１０から搬送された用紙に各種後処理を行うユニット及び排紙トレイＥＴ１を備える。各種後処理を行うユニットは、例えばパンチ処理、ソート処理、折り処理、裁断処理、カッティング処理等を行う。
【００１８】
図２に、画像形成装置１００の機能的構成を示す。
本体部１０は、画像制御部１、スキャナ部２、ＡＤＦ部３、操作部４、画像形成部５、プリンタコントローラ６、電源スイッチ７等を備えて構成される。
【００１９】
画像制御部１は、制御部１１、ＲＯＭ（Read Only Memory）１２、ＲＡＭ（Random Access Memory）１３、不揮発メモリ１４、読取処理部１５、書込処理部１６、ＤＲＡＭ（Dynamic Random Access Memory）制御ＩＣ１７、圧縮ＩＣ１８、伸長ＩＣ１９、及び画像メモリ１９ａ等を備えて構成される。
【００２０】
制御部１１は、ＲＯＭ１２に記憶されているシステムプログラムや各種処理プログラムを読み出してＲＡＭ１３に展開し、展開したプログラムに従って画像形成装置１００の各部を統括的に制御する。
【００２１】
また、制御部１１は差替え画像生成部１１ａを備える。
差替え画像生成部１１ａは、スキャナ部２又はプリンタコントローラ６に入力される画像データ（以下、「入力画像」）に基づいて、差替え画像を生成する。
差替え画像生成部１１ａは、生成された差替え画像を差替え画像メモリ１９３ａに出力する。
【００２２】
図３に、差替え画像の一例を示す。
差替え画像ＣＧ１は入力画像ＩＧ１とサイズが同一の画像であり、ユーザにサイズを把握し易くするため濃度の高い実線がサイズ枠に沿って形成された画像である。
また、差替え画像ＣＧ１は、入力画像ＩＧ１の内容を予め定められた内容に差替えた画像である。予め定められた内容とは、例えば図３に示すような「試し出力／内容を差替えています。」等である。なお、予め定められた内容は必ずしもこれに限られない。
【００２３】
差替え画像ＣＧ２は、差替え画像ＣＧ１と同様、入力画像ＩＧ１とサイズが同一の画像であり、濃度の高い実線がサイズ枠に沿って形成された画像である。
また、差替え画像ＣＧ２は、入力画像ＩＧ１の内容を関連情報に差替えた画像である。関連情報とは、例えば図３に示すように、入力画像ＩＧ１の「ジョブ名」、「ページ番号」の情報であり、差替え画像ＣＧ２が画像形成された「日付」の情報である。
差替え画像ＣＧ２における「ジョブ名」は、バーコード等の一次元コードで表してもよいし、ＱＲコード（登録商標）等の二次元コードで表してもよい。
【００２４】
図２に戻り、ＲＯＭ１２は、半導体メモリ等の不揮発メモリにより構成され、システムプログラムや各種処理プログラムを記憶する。
ＲＡＭ１３は、制御部１１により実行される各種プログラム及びこれらプログラムに係るデータを一時的に記憶するワークエリアを形成し、各種動作設定の情報を記憶する。
不揮発メモリ１４は、電源供給の無い状態で各種情報を記憶する。
【００２５】
読取処理部１５は、入力したアナログ画像データに各種処理を施してデジタル画像データ（入力画像）を生成し、生成された入力画像を圧縮ＩＣ１８に出力する。
書込処理部１６は、入力画像に基づいてＰＷＭ(Pulse Width Modulation)信号を生成し、画像形成部５へ出力する。
【００２６】
ＤＲＡＭ制御ＩＣ１７は、制御部１１の制御に基づいて、圧縮ＩＣ１８の圧縮処理及び伸長ＩＣ１９の伸長処理を制御する。
また、ＤＲＡＭ制御ＩＣ１７は、入力画像を画像メモリ１９ａに記憶し、又は画像メモリ１９ａから入力画像を取得する。
【００２７】
圧縮ＩＣ１８は、ＤＲＡＭ制御ＩＣ１７の制御により、入力画像の圧縮処理を施す。
伸長ＩＣ１９は、ＤＲＡＭ制御ＩＣ１７の制御により、入力画像に伸長処理を施す。
【００２８】
画像メモリ１９ａは、揮発性メモリであるＤＲＡＭで構成され、圧縮メモリ１９１ａ、ページメモリ１９２ａ、差替え画像メモリ１９３ａを備える。
【００２９】
圧縮メモリ１９１ａは、圧縮された入力画像を記憶するためのメモリである。
ページメモリ１９２ａは、画像形成前に圧縮された画像形成に係る入力画像を一時的に記憶する。
差替え画像メモリ１９３ａは、入力画像に基づいて生成された差替え画像を記憶する。
【００３０】
スキャナ部２は、ＣＣＤ等のイメージセンサ２０１、スキャナ制御部２０２等を備えて構成される。
スキャナ制御部２０２は、スキャナ部２の各部を駆動制御する。具体的には、コンタクトガラスに載置された原稿面の露光走査を実行させ、反射光をイメージセンサ２０１において結像させて画像を読み取る。スキャナ制御部２０２は、結像された光信号を光電変換してアナログの画像データを生成し、読取処理部１５に出力する。
【００３１】
ＡＤＦ部３は、ＡＤＦ制御部３０１を備える。ＡＤＦ制御部３０１は、制御部１１から出力される制御信号に基づいて、図示しない原稿トレイに載置された原稿をスキャナ部２のコンタクトガラス上に１枚ずつ自動給送する。
【００３２】
操作部４は、ＬＣＤ（Liquid Crystal Display）４０１、操作表示制御部４０２、試し出力ボタン４０３、その他操作キー群等を備えて構成される。
【００３３】
ＬＣＤ４０１は、透明電極を格子状に配置した感圧式のタッチパネルを備えて構成される。ＬＣＤ４０１は、手指やタッチペン等で操作された力点のＸＹ座標を電圧値で検出し、検出された位置信号を操作表示制御部４０２に出力する。
【００３４】
操作表示制御部４０２は、ＬＣＤ４０１の表示制御を行い、画像形成条件を入力するための基本画面や各種処理結果等をＬＣＤ４０１に表示させる。
また、操作表示制御部４０２は、ＬＣＤ４０１上のタッチパネル又は操作キー群から入力された操作信号を制御部１１に出力する。
【００３５】
試し出力ボタン４０３は、試し出力を行う際に押下されるボタンであり、試し出力を指示する信号を制御部１１に出力する。
【００３６】
図４に、操作部４の構成を示す。
ＬＣＤ４０１は、画面上に各種設定画面の表示を行う。
試し出力ボタン４０３は、ハードウェア構成のボタンである。試し出力ボタン４０３が押下されると差替え画像が画像形成される。なお、試し出力ボタン４０３をハードウェア構成とせず、ＬＣＤ４０１において表示する構成としてもよい。
【００３７】
試し出力ボタン４０３が押下されると用紙に差替え画像が画像形成されることになる。用紙に画像形成された差替え画像がユーザの所望の位置や濃度でない場合、ユーザの操作によりＬＣＤ４０１に画像調整のための設定画面が表示される。
【００３８】
図５に、画像調整のための設定画面の一例を示す。
画面Ｇ１は、用紙上での画像形成位置を上下左右にシフトさせて調整するための画面である。調整量は、画面Ｇ１に表示されている数字キーの入力に基づいて決定される。
調整完了を指示するＯＫボタン４０５が押下されると図４の画面に戻る。
図４に戻り、画像形成ボタン４０４が押下されると入力画像が画像形成されることになる。
【００３９】
図２に戻り、画像形成部５は、ＬＤ（Laser Diode）部５０１、画像形成制御部５０２等を備えて構成される。
画像形成部５は、書込処理部１０６から出力された入力画像又は差替え画像を用紙に画像形成するとともに、画像形成された用紙を後処理部２０に搬送する。
【００４０】
ＬＤ部５０１は、ＬＤ、感光体ドラム、帯電部、露光部、現像部、転写部、クリーニング部、及び定着部等を備える。また、ＬＤ部５０１内の搬送経路に従って用紙を搬送するための各種ローラ、搬送路切換板、反転部等を備える。
【００４１】
画像形成制御部５０２は、ＬＤ部５０１の各部の動作を制御する。
また、画像形成制御部５０２は、制御部１１と後処理制御部２１との間のデータ通信の中継を行う。
【００４２】
プリンタコントローラ６は、コントローラ制御部６０１、ＤＲＡＭ制御ＩＣ６０２、画像メモリ６０３、ＬＡＮＩＦ６０４等を備えて構成される。
【００４３】
コントローラ制御部６０１は、各部の動作を統括的に制御する。
また、コントローラ制御部６０１は、ＬＡＮＩＦ６０４を介して外部端末ＰＣから出力される画像データを入力画像として入力し、入力画像を画像制御部１に出力する。
【００４４】
ＤＲＡＭ制御ＩＣ６０２は、ＬＡＮＩＦ６０４を介して入力された入力画像を画像メモリ６０３に出力し、又は画像メモリ６０３から入力画像の読み出しを行う。
また、ＤＲＡＭ制御ＩＣ６０２は、画像制御部１のＤＲＡＭ制御ＩＣ１７とＰＣＩ（Peripheral Components Interconnect）バスで接続されており、入力画像を画像メモリ６０３から読み出してＤＲＡＭ制御ＩＣ１７に出力する。
【００４５】
画像メモリ６０３はＤＲＡＭから構成され、入力画像を記憶する。
ＬＡＮＩＦ６０４は、ＮＩＣ（Network Interface Card）やモデム等のネットワークに接続するための通信インタフェースであり、外部端末ＰＣからネットワークＮを介して画像データを入力画像として受信し、受信された入力画像をＤＲＡＭ制御ＩＣ６０２に出力する。
【００４６】
電源スイッチ７は、スイッチによる副電源のオン／オフ及び主電源によるオン／オフを切り替えて、オン／オフ信号を制御部１１へ出力する。
【００４７】
後処理部２０は、後処理部２０の各部の制御を行う後処理制御部２１を備える。
後処理制御部２１は、ＣＰＵ、ＲＯＭ、ＲＡＭ等により構成される。
後処理制御部２１のＣＰＵは、ＲＯＭに記憶されたプログラムとの協働により各部を駆動制御し、パンチ処理、ソート処理、折り処理、裁断処理、カッティング処理等を行う。
また、後処理制御部２１は、画像形成部５から排紙された用紙を所定の排紙トレイＥＴ１に排紙する。
【００４８】
図６を参照して、画像形成処理について説明する。
本処理は、一般的な画像形成処理と比較して、試し出力時に入力画像を差替え画像に差替えて画像形成する点を特徴とする。
【００４９】
制御部１１は、画像形成ボタン４０４が押下されたか否か判断する（ステップＳ１）。
画像形成ボタン４０４が押下された場合（ステップＳ１：Ｙ）、制御部１１は、ステップＳ９に移行する。
画像形成ボタンが押下されていない場合（ステップＳ１：Ｎ）、制御部１１は、試し出力ボタン４０３が押下されたか否か判断する（ステップＳ２）。
【００５０】
試し出力ボタン４０３が押下されていない場合（ステップＳ２：Ｎ）、制御部１１は、ステップＳ１に移行する。
試し出力ボタン４０３が押下された場合（ステップＳ２：Ｙ）、制御部１１は、入力画像に基づいて差替え画像を生成し、生成された差替え画像を差替え画像メモリ１９３ａにより記憶する（ステップＳ３）。
【００５１】
制御部１１は、差替え画像メモリ１９３ａに記憶されている差替え画像を読み出して、画像形成部５に出力する（ステップＳ４）。
制御部１１は、画像形成部５により、差替え画像を形成する（ステップＳ５）。
【００５２】
制御部１１は、調整完了を指示するＯＫボタン４０５が押下されたか否か判断する（ステップＳ６）。
ＯＫボタン４０５が押下されていない場合（ステップＳ６：Ｎ）、制御部１１は、操作部４を介して入力された画像形成位置や濃度等の調整に関する情報をＲＯＭ１２等に記憶する（ステップＳ８）。
制御部１１は、記憶された調整に関する情報に基づいて、差替え画像を再度画像形成する（ステップＳ５）。
【００５３】
ＯＫボタン４０５が押下された場合（ステップＳ６：Ｙ）、制御部１１は、画像形成対象を差替え画像とする設定を解除する（ステップＳ７）。
制御部１１は、画像形成ボタン４０４が押下されたか否かについて再度判断する（ステップＳ１）。
【００５４】
制御部１１は、画像形成ボタンが押下されると（ステップＳ１：Ｙ）、入力画像をページメモリ１９２ａに記憶する（ステップＳ９）。
制御部１１は、ページメモリ１９２ａから入力画像を読み出して画像形成部５に出力する（ステップＳ１０）。
【００５５】
制御部１１は、画像形成部５により、入力画像を用紙に画像形成して（ステップＳ１１）、本処理を終了する。
【００５６】
図７に、画像形成処理において生成される画像、用紙及び最終印刷物の概念図を示す。
まず、後処理がないケースＣ１について説明する。
試し出力において、入力画像ＩＧ１は差替え画像ＣＧ１に差替えられる。
差替え画像ＣＧ１は用紙Ｐ１に画像形成され、排紙トレイＥＴ１に排紙される。
【００５７】
用紙Ｐ１と用紙Ｐ１１とは対応しており、画像形成対象が差替え画像ＣＧ１の場合は用紙Ｐ１が生成され、画像形成対象が入力画像ＩＧ１の場合は用紙Ｐ１１が生成される。
用紙Ｐ１において差替え画像ＣＧ１の内容が適切に表示されている場合、用紙Ｐ１１においても入力画像ＩＧ１の内容が適切に表示されることになる。
【００５８】
次に、後処理にパンチ処理を施した最終印刷物Ｐ４を作成するケースＣ２について説明する。
入力画像ＩＧ１は、最終印刷物Ｐ４における一の入力画像である。
試し出力において、入力画像ＩＧ１は差替え画像ＣＧ１に差替えられ、差替え画像ＣＧ１は用紙Ｐ１に画像形成される。ここまでは、後処理がないケースＣ１と同様である。
【００５９】
用紙Ｐ２は、用紙Ｐ１にパンチ処理が施された後の用紙である。
用紙Ｐ２と用紙Ｐ２２とは対応しており、用紙Ｐ２において差替え画像ＣＧ１の内容がパンチ処理部分で欠けているため、用紙Ｐ２２においても入力画像ＩＧ１の内容がパンチ処理部分で欠けて表示されることになる。
【００６０】
試し出力において用紙Ｐ２が生成された場合、操作部４を介して画像位置が調整されることになる。
画像位置の調整が第三者ユーザによって行われる場合でも、用紙Ｐ２に表示されている画像は差替え画像ＣＧ１であるため、入力画像ＩＧ１の内容が見られることはない。
【００６１】
用紙Ｐ３は、画像位置が調整された後の用紙である。
用紙Ｐ３と用紙Ｐ３３とは対応しており、用紙Ｐ３において差替え画像ＣＧ１の内容がパンチ処理部分で欠けずに適切に表示されているため、用紙Ｐ３３においても入力画像ＩＧ１の内容が適切に表示されることになる。
試し出力において用紙Ｐ３が生成された後、本来画像形成すべき入力画像ＩＧ１が画像形成され最終印刷物Ｐ４が作成されることとなる。
【００６２】
図８に、画像形成処理において生成される画像、用紙及び最終印刷物の他の概念図を示す。図８では、後処理として束見本が作成される場合について説明する。
最終印刷物Ｐ５は、作成された束見本に製本用入力画像ＩＧ５が画像形成された場合の印刷物であり、最終的に製本として作成される印刷物である。
【００６３】
白紙画像ＷＧ１は、束見本の作成に用いられる白紙の画像である。
束見本は、最終印刷物Ｐ５のページ番号や厚さを確認するために作成されることから通常、その内容は白紙である。
【００６４】
差替え画像ＣＧ２は、試し出力において白紙画像ＷＧ１を差替えた画像である。差替え画像ＣＧ２には、製本用入力画像ＩＧ５のジョブ名やページ番号等の情報が含まれる。
【００６５】
用紙Ｐ６は、差替え画像ＣＧ２を用いて束見本を作成した場合の一の用紙である。
用紙Ｐ６と用紙Ｐ６６とは対応しており、用紙Ｐ６では差替え画像ＣＧ２が右下にずれて表示されているが、用紙Ｐ６６では白紙画像ＷＧ１がずれて表示されているか否か確認できない。
【００６６】
束見本Ｐ７は、用紙Ｐ６を用いた束見本である。
束見本Ｐ７と最終印刷物Ｐ７７とは対応しており、束見本Ｐ７では差替え画像ＣＧ２が右下にずれて表示されているため、最終印刷物Ｐ７７でも製本用入力画像ＩＧ５が右下にずれて表示されることになる。
【００６７】
束見本Ｐ７によれば、最終印刷物Ｐ７７を作成しなくとも、最終印刷物Ｐ７７で製本用入力画像ＩＧ５が右下にずれて表示されることが確認できる。
用紙Ｐ６６を束見本として作成した場合には、通常の白紙の束見本が作成されるため、最終印刷物Ｐ７７を作成するまで画像形成位置がずれているか否か確認できない。
【００６８】
束見本Ｐ８は、画像形成位置が調整された後に作成された束見本である。
束見本Ｐ８と最終印刷物Ｐ５とは対応しており、束見本Ｐ８において差替え画像ＣＧ２の内容が適切に表示されているため、最終印刷物Ｐ５においても製本用入力画像ＩＧ５の内容が適切に表示されることになる。
試し出力において束見本Ｐ８が生成された後、最終印刷物Ｐ５が作成されることとなる。
【００６９】
以上のように、本実施形態によれば、スキャナ部２又はプリンタコントローラ６によって入力された入力画像に基づいて、差替え画像を生成することができる。
試し出力ボタン４０３が押下された際、画像調整用として入力画像ではなく差替え画像が画像形成される。よって、第三者に入力画像の内容を見られることなく画像調整を行うことができる。
【００７０】
また、差替え画像の内容は、入力画像の内容を差替えた旨を示す内容とすることができ、例えば「試し出力／内容を差替えています。」等の内容にすることができる。
試し出力による用紙であることが容易に把握できる。
【００７１】
また、差替え画像の内容は、入力画像のジョブ名、ページ番号、又は差替え画像を形成した日付、のうち何れか一又は全ての情報を含む内容とすることができる。
試し出力による用紙であることが容易に把握できるとともに、入力画像に関する情報についても容易に把握することができる。
【００７２】
また、差替え画像の内容に入力画像のジョブ名を含ませる場合、ジョブ名をそのまま表示せず予め定められた識別子によって表示することができる。
差替え画像においてジョブ名が識別子によって表示されるため、第三者にジョブ名が見られることを防止できる。
【００７３】
また、予め定められた識別子は、バーコード等の一次元コード又はＱＲコード（登録商標）等の二次元コードとすることができる。
【００７４】
また、試し出力による用紙を第三者ユーザが確認して画像形成位置又は濃度を調整する必要があると判断した場合、操作部４により画像形成位置又は濃度を調整することができる。調整された情報は、ＲＯＭ１２、ＲＡＭ１３、不揮発メモリ１４等に記憶され、記憶された調整の情報に基づいて差替え画像又は入力画像を形成することができる。
【符号の説明】
【００７５】
１００  画像形成装置
１０    本体部
２０    後処理部
１      画像制御部
１１    制御部
２      スキャナ部
３      ＡＤＦ部
４      操作部
５      画像形成部
６      プリンタコントローラ
【図１】
2010217370.tif 000003
【図２】
2010217370.tif 000004
【図３】
2010217370.tif 000005
【図４】
2010217370.tif 000006
【図５】
2010217370.tif 000007
【図６】
2010217370.tif 000008
【図７】
2010217370.tif 000009
【図８】
2010217370.tif 000010